(57)【要約】【課題】映像信号及びおよび音声信号等のオーディオ信号を含むコンテンツの構成に応じて、オーディオ信号を適切に検出する方法及び検出装置を提供する。【解決手段】この発明のカラープロファイル生成装置及びカラープロファイル生成方法は、マトリクス演算による色変換テーブル生成の際に、演算結果がデスティネーション色信号の値域外（例えば８ビット色信号の場合は、０未満または２５５超）であってもクリッピング（不可逆処理）は行わず、その代わりに、値域の内外に関わらずマトリクス演算結果に一律に定数を加算すること（可逆処理）により、演算結果を所定のデータ型に収めてテーブル値として記憶し、さらに、最終的に正しい色変換出力を得るため、前記加算した定数の減算処理をテーブル補間直後の処理として定義することを特徴とする。【選択図】  図１
2007300637.tif 000002
【特許請求の範囲】
【請求項１】
色変換パラメータを用いた演算結果に対して１次式により定義される変換を施し、その結果をカラープロファイル中の色変換テーブルへの格納値として出力する１次式変換実行手段と、
前記１次式の逆関数の実行を指示する情報を、前記カラープロファイルにおける前記色変換テーブルを参照するテーブル補間処理の直後の処理を定義する情報として前記カラープロファイルに出力する１次式逆変換指示挿入手段と、
を有する色変換パラメータを用いた演算に基づいて色変換テーブルを生成するカラープロファイル生成装置。
【請求項２】
前記１次式変換実行手段は、前記１次式への入力変数に対して１未満の係数を乗算する処理を含むことを特徴とする請求項１記載のカラープロファイル生成装置。
【請求項３】
色変換パラメータを用いた演算結果に対して１次式により定義される変換を施し、その結果をカラープロファイル中の符号なし８ビット整数型の色変換テーブルへの格納値として出力する１次式変換実行手段と、
前記１次式の逆関数の実行を指示する情報を、前記カラープロファイルにおける前記テーブル補間処理の直後の処理を定義する情報として前記カラープロファイルに出力する１次式逆変換指示挿入手段と、
を有する色変換パラメータを用いた演算に基づいて色変換テーブルを生成するカラープロファイル生成装置。
【請求項４】
前記１次式変換実行手段は、前記１次式への入力変数に対して１未満の係数を乗算する処理を含むことを特徴とする請求項３記載のカラープロファイル生成装置。
【請求項５】
前記１次式変換実行手段は、前記色変換パラメータを用いた演算結果に対して１次式により定義される変換を施し、その結果を前記カラープロファイル中の符号なし１６ビット整数型の色変換テーブルへの格納値として出力することを特徴とする請求項３記載のカラープロファイル生成装置。
【請求項６】
前記１次式逆変換指示挿入手段により出力される前記１次式逆変換の指示定義情報は、ＩＣＣプロファイルのＬｕｔ  Ｂ  ｔｏ  Ａ  ＴｙｐｅのＢ２ＡｘＴａｇｇｅｄデータ（ｘ：０，１，２）における、ｐａｒａｍｅｔｒｉｃＣｕｒｖｅＴｙｐｅの”Ａ”Ｃｕｒｖｅｓの設定の一部であることを特徴とする請求項３記載のカラープロファイル生成装置。
【請求項７】
色変換パラメータを用いた演算結果に対して１次式により定義される変換を施し、その結果をカラープロファイル中の符号なし１６ビット整数型の色変換テーブルへの格納値として出力する１次式変換実行手段と、
前記色変換テーブルを参照するテーブル補間処理の出力値を符号なし８ビット整数型の最大値で規格化することを指示する情報を、前記カラープロファイルにおける前記テーブル補間処理の直後の処理を定義する情報として前記カラープロファイルに出力する規格化指示挿入手段と、
前記１次式の逆関数の実行を指示する情報を、前記カラープロファイルにおける前記規格化処理の直後の処理を定義する情報として前記カラープロファイルに出力する１次式逆変換指示挿入手段と、
を有する色変換パラメータを用いた演算に基づいて色変換テーブルを生成するカラープロファイル生成装置。
【請求項８】
前記規格化指示挿入手段により出力される前記規格化の指示定義情報と、前記１次式逆変換指示挿入手段により出力される前記１次式逆変換の指示定義情報とは、ＩＣＣプロファイルのＬｕｔ  Ｂ  ｔｏ  Ａ  ＴｙｐｅのＢ２ＡｘＴａｇｇｅｄデータ（ｘ：０，１，２）における、ｐａｒａｍｅｔｒｉｃＣｕｒｖｅＴｙｐｅの”Ａ”Ｃｕｒｖｅｓの設定の一部であることを特徴とする請求項７記載のカラープロファイル生成装置。
【請求項９】
色変換パラメータを用いた演算結果に対して１次式により定義される変換を施し、その結果をカラープロファイル中の色変換テーブルへの格納値として出力し、
前記１次式の逆関数の実行を指示する情報を、前記カラープロファイルにおける前記色変換テーブルを参照するテーブル補間処理の直後の処理を定義する情報として前記カラープロファイルに出力する
ことを特徴とする色変換パラメータを用いた演算に基づいて色変換テーブルを生成するカラープロファイル生成方法。
【請求項１０】
色変換パラメータを用いた演算結果に対して１次式により定義される変換を施し、その結果をカラープロファイル中の符号なし８ビット整数型の色変換テーブルへの格納値として出力し、
前記１次式の逆関数の実行を指示する情報を、前記カラープロファイルにおける前記テーブル補間処理の直後の処理を定義する情報として前記カラープロファイルに出力する
ことを特徴とする色変換パラメータを用いた演算に基づいて色変換テーブルを生成するカラープロファイル生成方法。
【請求項１１】
前記色変換パラメータを用いた演算結果に対して１次式により定義される変換を施し、その結果を前記カラープロファイル中の符号なし１６ビット整数型の色変換テーブルへの格納値として出力することを特徴とする請求項１０記載のカラープロファイル生成方法。
【請求項１２】
色変換パラメータを用いた演算結果に対して１次式により定義される変換を施し、その結果をカラープロファイル中の符号なし１６ビット整数型の色変換テーブルへの格納値として出力し、
前記色変換テーブルを参照するテーブル補間処理の出力値を符号なし８ビット整数型の最大値で規格化することを指示する情報を、前記カラープロファイルにおける前記テーブル補間処理の直後の処理を定義する情報として前記カラープロファイルに出力し、
前記１次式の逆関数の実行を指示する情報を、前記カラープロファイルにおける前記規格化処理の直後の処理を定義する情報として前記カラープロファイルに出力する
ことを特徴とする色変換パラメータを用いた演算に基づいて色変換テーブルを生成するカラープロファイル生成方法。
【発明の詳細な説明】
【技術分野】
【０００１】
この発明は、色変換パラメータを用いた演算に基づいて色変換テーブルを生成するカラープロファイル生成装置及びカラープロファイル生成方法に関する。
【背景技術】
【０００２】
カラー画像を扱うデジタル複合機（ＭＦＰ：Ｍｕｌｔｉ  Ｆｕｎｃｔｉｏｎ  Ｐｅｒｉｐｈｅｒａｌ）、プリンタ、スキャナ、ディスプレイ、デジタルカメラ等は、色変換テーブルが用いられている。
【０００３】
一般に、カラープロファイルの作成では、数十〜数百色のカラーパッチの測色値とデバイス色信号値の対応に基づいて、最小二乗法などにより色変換マトリクスを求め、さらにそのマトリクスを用いた演算により、色変換テーブルを生成する。このうち、ＰＣＳ色座標からデバイス色信号への色変換テーブルを求めるときは、マトリクス演算結果の値がデバイス色信号の値域外に出ることがある。多くの場合、デバイス値域外の値を値域上限値または値域下限値となるようクリッピングして色変換テーブル値としている（図５参照）。
【発明の開示】
【発明が解決しようとする課題】
【０００４】
しかしながら、クリッピング後のテーブル値はマトリクス演算の結果と異なるため、そのテーブル値を参照して得られるテーブル補間結果もまた、マトリクス演算の所望の近似値から掛け離れてしまうという問題がある（図６参照）。
【０００５】
この発明の目的は、正しい色変換出力を得ることのできる色変換テーブルを生成するカラープロファイル生成装置及びカラープロファイル生成方法を提供することである。
【課題を解決するための手段】
【０００６】
この発明は、上記問題点に基づきなされたもので、色変換パラメータを用いた演算結果に対して１次式により定義される変換を施し、その結果をカラープロファイル中の色変換テーブルへの格納値として出力する１次式変換実行手段と、前記１次式の逆関数の実行を指示する情報を、前記カラープロファイルにおける前記色変換テーブルを参照するテーブル補間処理の直後の処理を定義する情報として前記カラープロファイルに出力する１次式逆変換指示挿入手段と、を有する色変換パラメータを用いた演算に基づいて色変換テーブルを生成するカラープロファイル生成装置である。
【発明の効果】
【０００７】
本発明の実施の形態によれば、マトリクス演算による色変換テーブル生成の際に、テーブル値とすべき演算結果がデバイス色信号の値域外（例えば８ビット色信号の場合は、０未満または２５５超）であっても、クリッピング（非線形な処理または不可逆処理）は行わず、その代わりに、値域の内外に関わらずマトリクス演算結果に対して、一律に１次式による可逆処理を施す。それにより、演算結果を所定のデータ型に収めてテーブル値として記憶するので、そのテーブル補間結果は、マトリクス演算結果のさらに前記１次式による処理結果を、従来あったクリッピングによる影響を排して予測できる。
【０００８】
また、本発明の実施の形態によれば、１次式において乗算を有効にしてスケーリング変換を行うので、色変換テーブルのデータ型の範囲がデバイス色信号の値域に等しく、マトリクス演算結果の想定範囲を包含する余裕が全く無い場合であっても、テーブル補間とその直後の処理によってマトリクス演算結果を、従来あったクリッピングによる影響を排して予測することができる。
【発明を実施するための最良の形態】
【０００９】
以下、この発明の一実施の形態について図面を参照して説明する。
【００１０】
図１は、この発明の画像形成装置に係るデジタル複合機（ＭＦＰ）の内部構造を示す断面図である。
【００１１】
図１は、この発明の第１実施例を示すものである。図１は、色変換パラメータ生成部１、色変換テーブルグリッドアドレス生成部２、マトリクス演算部３、定数Ｃ加算実行部４、定数Ｃ減算処理定義挿入部５とから構成されるカラープロファイル生成装置１０である。
【００１２】
以下、プリンタのカラープロファイルの作成を例にとって、その動作を説明する。
【００１３】
まず、色変換パラメータの生成に必要な数十〜数百色のカラーパッチ（対象となるプリンタで印刷したもの）の測色値データと、そのカラーパッチを定義するデバイス色信号値データとが、色変換パラメータ生成部１に入力される。色変換パラメータ生成部１は、上記数十〜数百色のカラーパッチの測色値とデバイス色信号値の対応に基づいて、測色値色空間（デバイスに依存せず一義的に色を定義する色空間、ＰＣＳ色信号（Ｐｒｏｆｉｌｅ  Ｃｏｎｎｅｃｔｉｏｎ  Ｃｏｌｏｒ  Ｓｐａｃｅ）とも呼ばれる）からデバイス色信号（本例ではプリンタ色信号）への色変換パラメータを生成する。
【００１４】
生成される色変換パラメータは、ＰＣＳ色信号に対するマトリクス演算用の色変換マトリクスとその後段用の階調変換（ガンマ変換）定義とから構成される。色変換パラメータ生成部１は、色変換マトリクスを最小二乗法などを用いて算出し、それをマトリクス演算部３に供給する。また、色変換パラメータ生成部１は、階調変換の定義情報を生成し、それを定数Ｃ減算処理定義挿入部５に供給する。
【００１５】
前記階調変換の定義は、例えば、ＩＣＣプロファイルのＬｕｔ  Ｂ  ｔｏ  Ａ  ＴｙｐｅのＢ２ＡｘＴａｇｇｅｄデータ（ｘ：０，１，２）における、ｐａｒａｍｅｔｒｉｃＣｕｒｖｅＴｙｐｅの”Ａ”Ｃｕｒｖｅｓの定義に相当する。具体的には、前記”Ａ”Ｃｕｒｖｅｓの定義は、入力をＸ、出力をＹとすると、式  Ｙ＝（ａ０Ｘ＋ｂ０）γによって表される。ただし、ａ０，ｂ０，およびγは、式のパラメータである。
【００１６】
色変換テーブルグリッドアドレス生成部２は、最終的に生成されるカラープロファイルの主要構成要素である色変換テーブルのエントリ・グリッドアドレスを生成し、マトリクス演算部３に供給する。個々のエントリ・グリッドアドレスは、３次元色座標値で表されるＰＣＳ色信号であり、色変換テーブルに登録されるエントリ・グリッドポイントの個数分だけ生成される。例えば、エントリ・グリッドポイントの数が１７×１７×１７＝４９１３個の場合には、４９１３個のエントリ・グリッドアドレスが生成される。
【００１７】
前記色変換テーブルは、本実施例では、ＩＣＣプロファイルのＬｕｔ  Ｂ  ｔｏ  Ａ  ＴｙｐｅのＢ２ＡｘＴａｇｇｅｄデータ（ｘ：０，１，２）における、符号なし１６ｂｉｔ整数型のＣＬＵＴ部に相当する。
【００１８】
マトリクス演算部３は、前記供給されたエントリ・グリッドアドレスに対して、前記供給された色変換マトリクスを用いたマトリクス演算を実行し、その結果を定数Ｃ加算実行部４に供給する。
【００１９】
本実施例では、ＰＣＳ色座標からデバイス色信号への色変換テーブルを生成する際に、デバイス色信号の値域外に出たマトリクス演算結果をクリッピングせず、その代わりに、値域の内外に関わらずマトリクス演算結果に一律に定数Ｃを加算し、その結果をテーブル値とする（図２（ａ）参照）。
【００２０】
定数Ｃ加算実行部４は、前記マトリクス演算の結果に対して定数Ｃを加算し、その結果を前記色変換テーブルに格納する。定数Ｃの値は、マトリクス演算結果の想定範囲（デバイス色信号の値域を完全に含む、より大きい所定の範囲）が、加算の結果として、色変換テーブルの所定のデータ型の範囲に収まるように決めておく。例えば、想定範囲を−１２８〜３８３としたとき、マトリクス演算結果に対してＣ＝１２８を加算した結果を色変換テーブル値とする。なお、想定範囲外のマトリクス演算結果については、定数Ｃを加算する前に想定範囲にクリッピングする（またはＣの加算後にテーブルデータ型の範囲にクリッピングする）。
【００２１】
この場合、前記色変換テーブルによるテーブル補間結果は、定数Ｃが加算された状態となるので、正しい最終結果を得るために、定数Ｃを減算する処理をテーブル補間直後の処理としてプロファイル中に定義する必要がある（図２（ｂ）参照）。
【００２２】
定数Ｃ減算処理定義挿入部５は、前記供給された階調変換の定義に対して、その階調変換の前（すなわちテーブル補間直後）に前記定数Ｃの減算が行われるように、前記階調変換の定義を修正し、修正後の新たな階調変換の定義をカラープロファイル６中に格納する。例えば、定数Ｃの減算処理は、前記ＩＣＣプロファイルのＬｕｔ  Ｂ  ｔｏ  Ａ  ＴｙｐｅのＢ２ＡｘＴａｇｇｅｄデータにおける、ｐａｒａｍｅｔｒｉｃＣｕｒｖｅＴｙｐｅの”Ａ”Ｃｕｒｖｅｓの処理の一部として組み込む。
【００２３】
具体的には、デバイス色信号が符号なし８ｂｉｔ整数の場合、”Ａ”Ｃｕｒｖｅｓの式  Ｙ＝（ａ０Ｘ＋ｂ０）γに対して、パラメータａ０を色変換テーブルデータ型の範囲（符号なし１６ｂｉｔ整数では０〜６５５３５）とデバイス色信号値域（符号なし８ｂｉｔ整数では０〜２５５）との違いを補償するため（ａ０＊６５５３５／２５５）＝２５７ａ０に修正し、パラメータｂ０を（ｂ０−ａ０Ｃ／２５５）に修正する。
【００２４】
次に、第２実施例について説明する。
【００２５】
図３は、第２実施例の構成をものである。図３は、色変換パラメータ生成部１１、色変換テーブルグリッドアドレス生成部１２、マトリクス演算部１３、定数Ｃ１加算実行部１４、定数Ｃ２乗算実行部１５、定数Ｃ２除算・定数Ｃ１減算処理定義挿入部１６とから構成されるカラープロファイル生成装置２０である。
【００２６】
以下、プリンタのカラープロファイルの作成を例にとって、その動作を説明する。
【００２７】
まず、色変換パラメータの生成に必要な数十〜数百色のカラーパッチ（対象となるプリンタで印刷したもの）の測色値データと、そのカラーパッチを定義するデバイス色信号値データとが、色変換パラメータ生成部１１に入力される。色変換パラメータ生成部１１は、上記数十〜数百色のカラーパッチの測色値とデバイス色信号値の対応に基づいて、測色値色空間（デバイスに依存せず一義的に色を定義する色空間、ＰＣＳ色信号（Ｐｒｏｆｉｌｅ  Ｃｏｎｎｅｃｔｉｏｎ  Ｃｏｌｏｒ  Ｓｐａｃｅ）とも呼ばれる）からデバイス色信号（本例ではプリンタ色信号）への色変換パラメータを生成する。
【００２８】
生成される色変換パラメータは、ＰＣＳ色信号に対するマトリクス演算用の色変換マトリクスとその後段用の階調変換（ガンマ変換）定義とから構成される。色変換パラメータ生成部１１は、色変換マトリクスを最小二乗法などを用いて算出し、それをマトリクス演算部１３に供給する。また、色変換パラメータ生成部１１は、階調変換の定義情報を生成し、それを定数Ｃ２除算・定数Ｃ１減算処理定義挿入部１６に供給する。
【００２９】
前記階調変換の定義は、例えば、ＩＣＣプロファイルのＬｕｔ  Ｂ  ｔｏ  Ａ  ＴｙｐｅのＢ２ＡｘＴａｇｇｅｄデータ（ｘ：０，１，２）における、ｐａｒａｍｅｔｒｉｃＣｕｒｖｅＴｙｐｅの”Ａ”Ｃｕｒｖｅｓの定義に相当する。具体的には、前記”Ａ”Ｃｕｒｖｅｓの定義は、入力をＸ、出力をＹとすると、式Ｙ＝（ａ０Ｘ＋ｂ０）γによって表される。ただし、ａ０，ｂ０，およびγは、式のパラメータである。
【００３０】
色変換テーブルグリッドアドレス生成部１２は、最終的に生成されるカラープロファイルの主要構成要素である色変換テーブルのエントリ・グリッドアドレスを生成し、マトリクス演算部１３に供給する。個々のエントリ・グリッドアドレスは、３次元色座標値で表されるＰＣＳ色信号であり、色変換テーブルに登録されるエントリ・グリッドポイントの個数分だけ生成される。例えば、エントリ・グリッドポイントの数が１７×１７×１７＝４９１３個の場合には、４９１３個のエントリ・グリッドアドレスが生成される。
【００３１】
前記色変換テーブルは、本実施例では、ＩＣＣプロファイルのＬｕｔ  Ｂ  ｔｏ  Ａ  ＴｙｐｅのＢ２ＡｘＴａｇｇｅｄデータ（ｘ：０，１，２）における、符号なし８ｂｉｔ整数型のＣＬＵＴ部に相当する。
【００３２】
マトリクス演算部１３は、前記供給されたエントリ・グリッドアドレスに対して、前記供給された色変換マトリクスを用いたマトリクス演算を実行し、その結果を定数Ｃ１加算実行部１４に供給する。
【００３３】
本実施例では、色変換テーブルのデータ型の範囲がデバイス色信号の値域と等しい（双方とも符号なし８ｂｉｔ整数）ので、マトリクス演算結果に対して、その想定範囲（デバイス色信号の値域を完全に含む、より大きい所定の範囲）をテーブルデータ型の範囲に収めるよう、定数Ｃ１加算実行部１４にて定数Ｃ１を加算した後にさらに定数Ｃ２乗算実行部１５にて定数Ｃ２を乗算する。
【００３４】
例えば、想定範囲を−１２８〜３８３としたとき、マトリクス演算結果に対してＣ１＝１２８を加算し、さらにＣ２＝０．５を乗算した結果を色変換テーブル値とする（図４（ａ）参照）。なお、想定範囲外に出たマトリクス演算結果については、Ｃ１を加算する前に想定範囲にクリッピングする（またはＣ２乗算後にテーブルデータ型の範囲にクリッピングする）。
【００３５】
この場合、前記色変換テーブルによるテーブル補間結果は、Ｃ１が加算されてＣ２が乗算された状態となるので、正しい最終結果を得るために、Ｃ２による除算とＣ１の減算処理とをテーブル補間直後の処理としてプロファイル中に定義する必要がある（図４（ｂ）参照）。
【００３６】
定数Ｃ２除算・定数Ｃ１減算処理定義挿入部１６は、前記供給された階調変換の定義に対して、その階調変換の前（すなわちテーブル補間直後）に前記定数Ｃ２による除算とそれに続いて前記定数Ｃ１の減算が行われるように、前記階調変換の定義を修正し、修正後の新たな階調変換の定義をカラープロファイル１７中に格納する。例えば、”Ａ”Ｃｕｒｖｅｓの式Ｙ＝（ａ０Ｘ＋ｂ０）γに対して、パラメータａ０をａ０／Ｃ２に、パラメータｂ０を（ｂ０−ａ０Ｃ１／２５５）にそれぞれ修正する。
【００３７】
以上説明したように上記発明の実施の形態によれば、マトリクス演算による色変換テーブル生成の際に、テーブル値とすべき演算結果がデバイス色信号の値域外（例えば８ビット色信号の場合は、０未満または２５５超）であっても、クリッピング（非線形な処理または不可逆処理）は行わず、その代わりに、値域の内外に関わらずマトリクス演算結果に対して、一律に１次式による可逆処理を施す。それにより、演算結果を所定のデータ型に収めてテーブル値として記憶するので、そのテーブル補間結果は、マトリクス演算結果のさらに前記１次式による処理結果を、従来あったクリッピングによる影響を排して予測できる。
【００３８】
さらに、生成するカラープロファイルにおいて、前記色変換テーブルの直後の処理として前記１次式による処理の逆演算を定義しているので、最終的にはマトリクス演算結果自体を、従来あったクリッピングによる影響を排して予測できる。
【００３９】
特に、上述した第２実施例によれば、前記１次式において乗算を有効にしてスケーリング変換を行うので、色変換テーブルのデータ型の範囲がデバイス色信号の値域に等しく、マトリクス演算結果の想定範囲を包含する余裕が全く無い場合であっても、テーブル補間とその直後の処理によってマトリクス演算結果を、従来あったクリッピングによる影響を排して予測することができる。
【００４０】
また、本発明は、Ｌｕｔ  Ｂ  ｔｏ  Ａ  Ｔｙｐｅ（型）のＢ２ＡｘＴａｇｇｅｄデータ（ｘ：０，１，２）に含まれるＣＬＵＴ部およびｐａｒａｍｅｔｒｉｃＣｕｒｖｅ型の”Ａ”Ｃｕｒｖｅｓに対して適用することにより、カラープロファイルフォーマットの業界標準であるＩＣＣプロファイルの作成にも利用可能である。しかも、このＢ２ＡｘＴａｇはＩＣＣ標準のタグであって、プライベートタグは使用する必要が無いので、ＩＣＣプロファイルに対応したＣＭＭ（カラーマネジメントモジュール）であれば、本発明のカラープロファイル生成装置で作成したＩＣＣプロファイルを利用することができ、その効果を得ることができる。
【００４１】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００４２】
【図１】この発明の第１実施例に係るカラープロファイル生成装置を示すブロック図。
【図２】色変換テーブルにデータを格納する際の定数加算とテーブル補間直後の定数減算を説明するための図。
【図３】第２実施例に係るカラープロファイル生成装置を示すブロック図。
【図４】色変換テーブルにデータを格納する際の定数加算および定数乗算とテーブル補間直後の定数除算および定数減算を説明するための図。
【図５】従来のカラープロファイル生成装置を説明するための図。
【図６】クリッピングに起因するマトリクス近似誤差を説明するための図。
【符号の説明】
【００４３】
１…色変換パラメータ生成部、２…色変換テーブルグリッドアドレス生成部、３…マトリクス演算部、４…定数Ｃ加算実行部、５…定数Ｃ減算処理定義挿入部、１０…カラープロファイル生成装置、１１…色変換パラメータ生成部、１２…色変換テーブルグリッドアドレス生成部、１３…マトリクス演算部、１４…定数Ｃ１加算実行部、１５…定数Ｃ２乗算実行部、１６…定数Ｃ２除算・定数Ｃ１減算処理定義挿入部、２０…カラープロファイル生成装置。
【図１】
2007300637.tif 000003
【図２】
2007300637.tif 000004
【図３】
2007300637.tif 000005
【図４】
2007300637.tif 000006
【図５】
2007300637.tif 000007
【図６】
2007300637.tif 000008